(57)【要約】【課題】表示装置において、スロットカバーをスロットの開口部から容易に取り外すことができるようにする。【解決手段】表示装置は、表示装置本体２と、その背面２ｂに取り付けられ、背面２ｂに対して間隔をあけて位置する天板部２１を含むバックカバー３と、表示装置本体と天板部との間に設けられ、背面２ｂに沿う第一方向に開口するスロット４と、その開口部３１に着脱可能に設けられ、開口部を塞ぐスロットカバー５と、を備える。スロットカバー５は、表示装置本体の背面２ｂから天板部の内面２１ａに向けて延びる平板状に形成され、スロットの開口部を覆う本体板部４１と、背面２ｂ側に位置する本体板部の第一端部４１Ａから、背面２ｂに沿うようにスロットの外側に向けて延びる延長板部４２と、を備える。延長板部の延長方向の先端部４２Ｂは、スロットカバーを開口部に設けた状態において、背面２ｂから離れて位置する離間部４５である。【選択図】図１０
2020042093.tif 000002
【特許請求の範囲】
【請求項１】
表示装置本体と、
前記表示装置本体の背面に取り付けられ、前記背面に対して間隔をあけて位置する天板部を含むバックカバーと、
前記表示装置本体と前記天板部との間に設けられ、前記背面に沿う第一方向に開口するスロットと、
前記スロットの開口部に着脱可能に設けられ、前記開口部を塞ぐスロットカバーと、を備え、
前記スロットカバーは、
前記表示装置本体の背面から前記天板部の内面に向けて延びる平板状に形成され、前記スロットの開口部を覆う本体板部と、
前記背面側に位置する前記本体板部の第一端部から、前記背面に沿うように前記スロットの外側に向けて延びる延長板部と、を備え、
少なくとも前記延長板部の延長方向の先端部は、前記スロットカバーを前記開口部に設けた状態において、前記背面から離れて位置する離間部である表示装置。
【請求項２】
前記延長板部の延長方向の基端部は、前記スロットカバーを前記開口部に設けた状態において、前記背面に面接触する接触部である請求項１に記載の表示装置。
【請求項３】
前記本体板部は、前記背面に沿って前記第一方向に直交する第二方向に延びて形成され、
前記延長板部は、前記第二方向に間隔をあけて配列された複数の分割延長板部によって構成され、
複数の前記分割延長板部の少なくとも一つの第一分割延長板部は、前記離間部を含み、
複数の前記分割延長板部の少なくとも一つの第二分割延長板部は、前記スロットカバーを前記開口部に設けた状態において、前記背面に面接触する接触部として構成される請求項１又は請求項２に記載の表示装置。
【請求項４】
請求項１から請求項３のいずれか一項に記載の表示装置において前記スロットカバーを前記スロットの開口部から取り外すスロットカバーの取り外し方法であって、
前記離間部を前記背面に向けて押さえることで、前記天板部の内面側に位置する前記本体板部の第二端部を前記スロットの外側に移動させるスロットカバーの取り外し方法。
【請求項５】
表示装置本体と、前記表示装置本体の背面に取り付けられ、前記背面に対して間隔をあけて位置する天板部を含むバックカバーと、前記表示装置本体と前記天板部との間に設けられ、前記背面に沿う第一方向に開口するスロットと、を備える表示装置において、前記スロットの開口部に着脱可能に設けられ、前記開口部を塞ぐスロットカバーであって、
平板状に形成され、前記表示装置本体の背面から前記天板部の内面に向けて延びる平板状に形成され、前記スロットの開口部を覆う本体板部と、
前記背面側に位置する前記本体板部の第一端部から、前記背面に沿うように前記スロットの外側に向けて延びる延長板部と、を備え、
少なくとも前記延長板部の延長方向の先端部は、前記スロットカバーを前記開口部に設けた状態において、前記背面から離れて位置する離間部であるスロットカバー。
【発明の詳細な説明】
【技術分野】
【０００１】
本発明は、スロットカバー、表示装置及びスロットカバーの取り外し方法に関する。
【背景技術】
【０００２】
表示装置は、表示パネル等を含む表示装置本体と、表示装置本体の背面に取り付けられるバックカバーと、を備える。この種の表示装置には、表示装置の機能拡張を実現するため、テレビジョンチューナー機能や通信機能などを有する機能拡張モジュールを着脱自在に装着するためのスロットを備えたものがある。スロットは、表示装置本体の背面とバックカバーとの間に設けられ、表示装置本体の背面に沿う方向に開口する。
特許文献１には、パーソナルコンピューター（ＰＣ）のオプションスロットに装着され、ＰＣ内部のマザーボードや電源に接続するための内部コネクター、及び、ＰＣの外側において使用するオプション機器に接続するための外部コネクターを備えたインターフェイス外部拡張装置が開示されている。
【先行技術文献】
【特許文献】
【０００３】
【特許文献１】特開２００２-１４９２９４号公報
【発明の概要】
【発明が解決しようとする課題】
【０００４】
ところで、機能拡張モジュールがスロットに挿入されていない状態では、表示装置のユーザーが自身の手指を誤ってスロットに入れないようにするため、スロットの開口部を板状のスロットカバーによって塞ぐことが考えられる。しかしながら、スロットカバーが、表示装置本体の背面とバックカバーとの間に位置していると、スロットカバーを取り外すことが難しい、という問題がある。
【０００５】
この発明は、上述した事情に鑑みてなされたものであって、スロットの開口部から容易に取り外すことが可能なスロットカバー、これを備える表示装置、及び、スロットカバーの取り外し方法を提供することを目的とする。
【課題を解決するための手段】
【０００６】
本発明の表示装置は、表示装置本体と、前記表示装置本体の背面に取り付けられ、前記背面に対して間隔をあけて位置する天板部を含むバックカバーと、前記表示装置本体と前記天板部との間に設けられ、前記背面に沿う第一方向に開口するスロットと、前記スロットの開口部に着脱可能に設けられ、前記開口部を塞ぐスロットカバーと、を備え、前記スロットカバーは、前記表示装置本体の背面から前記天板部の内面に向けて延びる平板状に形成され、前記スロットの開口部を覆う本体板部と、前記背面側に位置する前記本体板部の第一端部から、前記背面に沿うように前記スロットの外側に向けて延びる延長板部と、を備え、少なくとも前記延長板部の延長方向の先端部は、前記スロットカバーを前記開口部に設けた状態において、前記背面から離れて位置する離間部であることを特徴とする。
【０００７】
本発明のスロットカバーの取り外し方法は、前記表示装置において前記スロットカバーを前記スロットの開口部から取り外すスロットカバーの取り外し方法であって、前記離間部を前記背面に向けて押さえることで、前記天板部の内面側に位置する前記本体板部の第二端部を前記スロットの外側に移動させることを特徴とする。
【０００８】
本発明のスロットカバーは、表示装置本体と、前記表示装置本体の背面に取り付けられ、前記背面に対して間隔をあけて位置する天板部を含むバックカバーと、前記表示装置本体と前記天板部との間に設けられ、前記背面に沿う第一方向に開口するスロットと、を備える表示装置において、前記スロットの開口部に着脱可能に設けられ、前記開口部を塞ぐスロットカバーであって、平板状に形成され、前記表示装置本体の背面から前記天板部の内面に向けて延びる平板状に形成され、前記スロットの開口部を覆う本体板部と、前記背面側に位置する前記本体板部の第一端部から、前記背面に沿うように前記スロットの外側に向けて延びる延長板部と、を備え、少なくとも前記延長板部の延長方向の先端部は、前記スロットカバーを前記開口部に設けた状態において、前記背面から離れて位置する離間部であることを特徴とする。
【発明の効果】
【０００９】
本発明によれば、スロットカバーをスロットの開口部から容易に取り外すことができる。
【図面の簡単な説明】
【００１０】
【図１】本発明の一実施形態に係る表示装置をバックカバー側から見た斜視図である。
【図２】図１の表示装置の要部を示す拡大斜視図である。
【図３】図２において、スロットカバーをスロットの開口部から取り外した状態を示す拡大斜視図である。
【図４】本発明の一実施形態に係るスロットカバーを示す斜視図である。
【図５】図１，２の表示装置において、スロットカバーをスロットの開口部に取り付けた状態を示す拡大断面図である。
【図６】図１，２の表示装置において、スロットカバーをスロットの開口部から取り外す手順を説明するための図である。
【図７】本発明の他の実施形態に係るスロットカバーをスロットの開口部に取り付けた状態を示す拡大断面図である。
【図８】本発明の他の実施形態に係るスロットカバーの一部を示す拡大斜視図である。
【図９】図８のスロットカバーをスロットの開口部に取り付けた状態を示す拡大断面図であり、（ａ）は第一分割延長板部を含む拡大断面図、（ｂ）は第二分割延長板部を含む拡大断面図である。
【図１０】本発明の他の実施形態に係る表示装置を示す断面図である。
【発明を実施するための形態】
【００１１】
以下、図１〜６を参照して本発明の一実施形態について説明する。
図１に示すように、本実施形態に係る表示装置１は、表示装置本体２と、バックカバー３と、スロット４と、スロットカバー５と、を備える。
【００１２】
表示装置本体２は、概ね板状に形成されている。表示装置本体２は、主に板状の表示パネル１１によって構成される。表示パネル１１は、前面に画像を表示する表示面１１ａを有する。表示パネル１１は、例えば液晶ディスプレイパネルや有機ＥＬディスプレイパネル等、任意であってよい。
また、本実施形態の表示装置本体２は、ブラケット１２を含む。ブラケット１２は、図５に示すように、表示パネル１１の背面１１ｂ（前面と反対側の面）に固定される。ブラケット１２は、後述するバックカバー３の露出用孔２３の周縁部分を補強する。ブラケット１２のうち表示パネル１１の背面１１ｂに重ねて配される板状部分は、表示パネル１１の背面１１ｂと共に表示装置本体２の背面２ｂを構成する。
【００１３】
図１，５に示すように、バックカバー３は、表示装置本体２の背面２ｂに取り付けられる。バックカバー３は、表示装置本体２の背面２ｂや、背面２ｂ側に設けられる各種電気部品や回路などを覆って、これらを保護する。各種電気部品には、スロット４に装着される機能拡張モジュール６（図３参照）なども含まれる。バックカバー３は、ねじ止め等によって表示装置本体２の背面２ｂに対して着脱可能に固定される。
【００１４】
バックカバー３は、天板部２１を含む。また、本実施形態のバックカバー３は、周縁板部２２をさらに含む。天板部２１は、平板状に形成され、表示装置本体２の背面２ｂに対して間隔をあけて位置する。周縁板部２２は、天板部２１の周縁から表示装置本体２の背面２ｂまで延びる。周縁板部２２は、天板部２１の周縁全体に形成されている。
【００１５】
図１〜３，５に示すように、周縁板部２２には、その厚さ方向に貫通し、後述するスロット４をバックカバー３の外側に露出させるための露出用孔２３が形成されている。露出用孔２３は、例えば周縁板部２２のみに形成されてよいが、本実施形態では天板部２１まで広げて形成されている。露出用孔２３は、バックカバー３を表示装置本体２の背面２ｂに配した状態で、表示装置本体２の背面２ｂに沿う第一方向（Ｙ軸方向）においてバックカバー３の内側空間を外側に露出させる。
なお、前述した表示装置本体２のブラケット１２は、バックカバー３を表示装置本体２の背面２ｂに配した状態で、バックカバー３の内側から上記の露出用孔２３の周縁部分を支持する。これにより、バックカバー３のうち露出用孔２３の周縁部分が補強される。
【００１６】
図２，３，５に示すように、露出用孔２３の周縁を形成する天板部２１の縁部分には、折り曲げ加工が施されている。これにより、天板部２１の縁部分には、天板部２１の他の部分に対して表示装置本体２の背面２ｂに向けて延びる折曲部２４が形成されている。天板部２１の縁部分に折曲部２４が形成されることで、天板部２１が薄板状に形成されていても、天板部２１のうち露出用孔２３の近傍に位置する部位が撓み変形することを抑制できる。すなわち、天板部２１のうち露出用孔２３の近傍に位置する部位の剛性を高めることができる。
表示装置本体２の背面２ｂに向けて延びる折曲部２４の長さは、表示装置本体２の厚さ方向（Ｚ軸方向）において天板部２１から表示装置本体２の背面２ｂに至る長さに対して十分に小さい。すなわち、折曲部２４は、第一方向に開口する露出用孔２３が過度に小さくならないように形成されている。
【００１７】
スロット４は、表示装置の機能を拡張する機能拡張モジュール６を着脱自在に装着するものである。スロット４は、表示装置本体２とバックカバー３の天板部２１との間に設けられる。スロット４は、バックカバー３に形成された露出用孔２３を通じて表示装置本体２の背面２ｂに沿う第一方向に開口する。すなわち、機能拡張モジュール６は、スロット４に対して第一方向に挿抜される。本実施形態において、スロット４の開口部３１は、表示装置本体２の厚さ方向（Ｚ軸方向）における高さ寸法よりも表示装置本体２の背面２ｂに沿って第一方向（Ｙ軸方向）に直交する第二方向（Ｘ軸方向）における幅寸法が大きい形状に形成されている。
【００１８】
図２，３に示すように、スロット４は、その開口部３１の周囲に位置し、第一方向においてスロット４の外側に向く前面部３２を有する。スロット４の前面部３２は、第二方向においてスロット４の開口部３１の両側に位置する。スロット４の前面部３２には、スロット４に装着された機能拡張モジュール６や後述するスロットカバー５を固定するための雌ねじ孔３３が形成されている。
【００１９】
スロットカバー５は、スロット４の開口部３１を塞ぐものであり、スロット４の開口部３１に着脱可能に設けられる。図２〜４に示すように、スロットカバー５は、本体板部４１と、延長板部４２と、を備える。
【００２０】
本体板部４１は、スロット４の開口部３１を覆う部位であり、平板状に形成されている。板厚方向から見た本体板部４１の形状や大きさは、スロット４の開口部３１の形状や大きさに対応する。本実施形態の本体板部４１は、第二方向（Ｘ軸方向）に長く延びる帯板状に形成されている。本体板部４１の長手方向（Ｘ軸方向）は、スロット４の幅方向（表示装置本体２の背面２ｂに沿う方向；Ｘ軸方向）に対応する。また、本体板部４１の幅方向（Ｚ軸方向）は、スロット４の高さ方向（Ｚ軸方向）に対応する。
【００２１】
本体板部４１の長手方向の両端部は、本体板部４１によってスロット４の開口部３１を覆う際に、スロット４の前面部３２に重ねて配される部位である。本体板部４１の長手方向の両端部には、本体板部４１の板厚方向に貫通するねじ挿通孔４３が形成されている。第二方向における本体板部４１の一方の端部に形成されたねじ挿通孔４３は、本体板部４１の長手方向の一方の端（本体板部４１のＸ軸正方向側の端）に開口している。
【００２２】
また、本体板部４１には、保持用突起４４が形成されている。保持用突起４４は、本体板部４１をスロット４の前面部３２に重ねて配した状態に保持するために形成されている。本実施形態の保持用突起４４は、本体板部４１の長手方向の他方の端（本体板部４１のＸ軸負方向側の端）から本体板部４１の長手方向に突出している。
【００２３】
図４に示すように、延長板部４２は、帯板状に形成された本体板部４１の幅方向（Ｚ軸方向）の第一端部４１Ａから、本体板部４１の板厚方向の一方側（Ｙ軸負方向側）に延びる。延長板部４２の延長方向の先端部４２Ｂは、本体板部４１の第一端部４１Ａに対して本体板部４１の幅方向の第二端部４１Ｂ側に位置する。
本実施形態の延長板部４２では、その延長方向の基端部４２Ａが本体板部４１に対して直交する方向（Ｙ軸負方向）に延びている。一方、延長板部４２の延長方向の先端部４２Ｂは、基端部４２Ａに対して本体板部４１から離れるにしたがって本体板部４１の幅方向の第二端部４１Ｂ側に向かうように延びている。すなわち、延長板部４２の先端部４２Ｂは、基端部４２Ａに対して傾斜するように延びている。
【００２４】
本実施形態の延長板部４２は、一つであり、本体板部４１の長手方向（Ｘ軸方向）の一端部から他端部まで延びている。
本実施形態のスロットカバー５は、板材に折り曲げ加工を施すだけで製造することができる。
【００２５】
図２，５に示すように、上記したスロットカバー５をスロット４の開口部３１に設けた状態では、本体板部４１が、表示装置本体２の背面２ｂからこれに対向する天板部２１の内面２１ａに向けて延びるように配される。具体的に、本体板部４１は、スロット４の前面部３２に重ねて配される。
この状態において、本体板部４１の第一端部４１Ａは表示装置本体２の背面２ｂ側に位置する。具体的に、本体板部４１の第一端部４１Ａは表示装置本体２の背面２ｂに接触する。一方、本体板部４１の第二端部４１Ｂは天板部２１の内面２１ａ側に位置する。具体的に、本体板部４１の第二端部４１Ｂは天板部２１の折曲部２４の先端に対向する。本体板部４１の第二端部４１Ｂと折曲部２４とは、互いに接触する、あるいは、微小な間隔をあけて位置する。すなわち、本体板部４１の第二端部４１Ｂは、天板部２１（特に折曲部２４）によって覆われている。
【００２６】
また、スロットカバー５をスロット４の開口部３１に設けた状態において、延長板部４２は、表示装置本体２の背面２ｂ側に位置する本体板部４１の第一端部４１Ａから、表示装置本体２の背面２ｂに沿うようにスロット４の外側（Ｙ軸負方向側）に向けて延びる。
この状態において、延長板部４２の先端部４２Ｂは、表示装置本体２の背面２ｂから離れて位置する離間部４５として構成される。一方、延長板部４２の基端部４２Ａは、表示装置本体２の背面２ｂに面接触する接触部４６として構成される。本実施形態の延長板部４２の先端部４２Ｂ（離間部４５）は、表示装置本体２の背面２ｂに沿って本体板部４１から離れるにしたがって表示装置本体２の背面２ｂから離れるように延びている。すなわち、延長板部４２の先端部４２Ｂは、表示装置本体２の背面２ｂに対して傾斜するように延びている。
【００２７】
また、本実施形態のスロットカバー５をスロット４の開口部３１に設けた状態では、図２に示すように、本体板部４１の保持用突起４４が、ブラケット１２に形成されてスロット４の幅方向（Ｘ軸方向）の端に開口する挿入溝１４に挿入される。これにより、本体板部４１をスロット４の前面部３２に重ねて配した状態に保持できる。保持用突起４４は、本体板部４１をスロット４の前面部３２に重ねて配した状態で、本体板部４１をスロット４の幅方向にスライド移動させることで、挿入溝１４に対して挿抜される。
【００２８】
さらに、スロットカバー５をスロット４の開口部３１に設け、保持用突起４４を挿入溝１４に挿入した状態では、ねじ９を本体板部４１のねじ挿通孔４３（図３参照）に挿通させた上で、スロット４の前面部３２に形成された雌ねじ孔３３（図３参照）に羅着させることができる。これにより、本体板部４１がスロット４の前面部３２に押し付けられ、スロットカバー５をスロット４の開口部３１に固定することができる。
【００２９】
次に、本実施形態の表示装置１において、スロットカバー５をスロット４の開口部３１から取り外すスロットカバー５の取り外し方法の一例について説明する。
スロットカバー５をスロット４の開口部３１から取り外す際には、はじめに、ねじをスロット４の前面部３２の雌ねじ孔３３及びスロットカバー５のねじ挿通孔４３から取り外す。次いで、スロットカバー５をスロット４の幅方向（Ｘ軸正方向）にスライド移動させて、本体板部４１の保持用突起４４を挿入溝１４から抜き出す。
【００３０】
その後、図６に示すように、ユーザーの手指Ｆ等によって延長板部４２の先端部４２Ｂ（離間部４５）を表示装置本体２の背面２ｂに向けて押さえる。図６における矢印Ｄ１は、延長板部４２の先端部４２Ｂを押さえる方向の一例を示している。この際には、スロットカバー５が、テコの原理によって延長板部４２の先端部４２Ｂと基端部４２Ａ（接触部４６）との境界部分を中心として回転する。図６における矢印Ｄ２は、スロットカバー５の回転方向を示している。これにより、天板部２１の内面２１ａ側（折曲部２４側）に位置する本体板部４１の第二端部４１Ｂは、スロット４の外側（Ｙ軸負方向側）に移動する。すなわち、本体板部４１の第二端部４１Ｂは、天板部２１（折曲部２４）によって覆われない位置まで移動する。
【００３１】
最後に、露出した本体板部４１の第二端部４１Ｂをユーザーの手指等でつまんで、スロットカバー５を例えば矢印Ｄ３で示す方向に移動させることで、スロットカバー５をスロット４の開口部３１から取り外す。
以上により、スロットカバー５の取り外し方法が完了する。
【００３２】
以上説明したように、本実施形態の表示装置１、スロットカバー５及びスロットカバー５の取り外し方法によれば、スロットカバー５をスロット４の開口部３１に設けた状態では、表示装置本体２の背面２ｂに位置するスロットカバー５の延長板部４２の先端部４２Ｂ（離間部４５）が、表示装置本体２の背面２ｂから離れて位置する。このため、本体板部４１の縁（例えば本体板部４１の第一端部４１Ａや第二端部４１Ｂ）が表示装置本体２の背面２ｂや天板部２１によって覆われていても、延長板部４２の先端部４２Ｂを表示装置本体２の背面２ｂに向けて押さえることで、本体板部４１の第二端部４１Ｂを天板部２１によって覆われない位置まで移動させることができる。これにより、本体板部４１の第二端部４１Ｂを容易にユーザーの手指等でつまむことができる。したがって、スロットカバー５をスロット４の開口部３１から容易に取り外すことができる。
【００３３】
また、本実施形態の表示装置１及びスロットカバー５によれば、スロットカバー５をスロット４の開口部３１に設けた状態では、表示装置本体２の背面２ｂに位置するスロットカバー５の延長板部４２の基端部４２Ａ（接触部４６）が、表示装置本体２の背面２ｂに面接触する。これにより、スロットカバー５をスロット４の開口部３１に対して安定に配置できる。したがって、スロットカバー５をスロット４の開口部３１に対して簡単に取り付けることができる。例えば、スロットカバー５をスロット４の開口部３１に配置した後に、スロットカバー５の保持用突起４４を挿入溝１４に挿入する作業や、スロットカバー５をスロット４に対してねじ止めする作業を簡単に行うことができる。
【００３４】
以上、本発明に係る表示装置、スロットカバー及びスロットカバーの取り外し方法の一実施形態について説明したが、本発明は上記の実施形態に限定されるものではなく、その趣旨を逸脱しない範囲において適宜変更可能である。
【００３５】
本発明においては、例えば図７に示すように、スロットカバー５をスロット４の開口部３１に設けた状態において、延長板部４２の全体が表示装置本体２の背面２ｂから離れて位置する離間部４５として構成されてもよい。図７に例示する延長板部４２は、表示装置本体２の背面２ｂに沿って本体板部４１の第一端部４１Ａから離れるにしたがって表示装置本体２の背面２ｂから離れるように延びている。すなわち、延長板部４２は、表示装置本体２の背面２ｂに対して傾斜するように延びている。
図７に例示したスロットカバー５は、上記実施形態と同様に板材に折り曲げ加工を施すことで製造することができる。
【００３６】
本発明においては、例えば図８に示すように、スロットカバー５の延長板部４２が、本体板部４１の長手方向（第二方向；Ｘ軸方向）に間隔をあけて配列された複数の分割延長板部４７によって構成されてよい。図８に例示する分割延長板部４７の数は二つである。
図８，９（ａ）に示すように、複数の分割延長板部４７のうち第一分割延長板部４７Ａは、表示装置本体２の背面２ｂから離れて位置する離間部４５を含む。第一分割延長板部４７Ａは、例えば離間部４５のみによって構成されてよい。図８に例示する構成では、第一分割延長板部４７Ａの延長方向の基端部４７Ａ１が、表示装置本体２の背面２ｂに面接触する接触部４６であり、第一分割延長板部４７Ａの延長方向の先端部４７Ａ２が、離間部４５である。
【００３７】
図８，９（ｂ）に示すように、複数の分割延長板部４７のうち第二分割延長板部４７Ｂは、その全体が表示装置本体２の背面２ｂに面接触する接触部４６として構成される。
図８，９に例示したスロットカバー５は、上記実施形態と同様に板材に折り曲げ加工を施すことで製造することができる。
【００３８】
図８，９に例示した構成によれば、第二分割延長板部４７Ｂの全体が接触部４６として構成されるため、延長板部４２の延長方向における接触部４６の長さをより長く確保することができる。これにより、スロットカバー５をスロット４の開口部３１に対してより安定した状態で配置することができる。したがって、スロットカバー５をスロット４の開口部３１に対してより簡単に取り付けることが可能となる。
なお、延長板部４２を構成する分割延長板部４７が三つ以上である場合、複数の分割延長板部４７のうち少なくとも一つを第一分割延長板部４７Ａとし、少なくとも他の一つを第二分割延長板部４７Ｂとすればよい。
【００３９】
図８，９に例示したスロットカバー５において、第一分割延長板部４７Ａの具体的な形状は、例えば図５等で示した上記実施形態の延長板部４２と同様であってよい。図８，９（ａ）に例示する構成において、第一分割延長板部４７Ａの先端部４７Ａ２は、第一分割延長板部４７Ａの基端部４７Ａ１に対して段差状に接続されている。すなわち、第一分割延長板部４７Ａの先端部４７Ａ２は、基端部４７Ａ１よりも表示装置本体２の背面２ｂ側から離れた位置において基端部４７Ａ１から表示装置本体２の背面２ｂに平行する方向に延びている。なお、図８，９（ａ）に例示した第一分割延長板部４７Ａの形状は、上記実施形態のようにスロットカバー５の延長板部４２が一つである場合の延長板部４２の形状にも適用できる。
【００４０】
本発明の表示装置では、例えば図１０に示すように、露出用孔２３の周縁を構成するバックカバー３の天板部２１の縁部分に、上記実施形態のような折曲部２４（図５等参照）が形成されなくてもよい。この場合、スロットカバー５は、本体板部４１の第二端部４１Ｂが天板部２１の内面２１ａに対向するようにスロット４の開口部３１に設けられてよい。
【符号の説明】
【００４１】
１  表示装置
２  表示装置本体
２ｂ  背面
３  バックカバー
２１  天板部
２２  周縁板部
４  スロット
３１  開口部
５  スロットカバー
４１  本体板部
４１Ａ  第一端部
４１Ｂ  第二端部
４２  延長板部
４２Ａ  基端部
４２Ｂ  先端部
４５  離間部
４６  接触部
４７  分割延長板部
４７Ａ  第一分割延長板部
４７Ａ１  基端部
４７Ａ２  先端部
４７Ｂ  第二分割延長板部
【図１】
2020042093.tif 000003
【図２】
2020042093.tif 000004
【図３】
2020042093.tif 000005
【図４】
2020042093.tif 000006
【図５】
2020042093.tif 000007
【図６】
2020042093.tif 000008
【図７】
2020042093.tif 000009
【図８】
2020042093.tif 000010
【図９】
2020042093.tif 000011
【図１０】
2020042093.tif 000012